(57)【要約】【課題】床用固定具２の外径寸法を大きくすることなく、施工床Ｆに床用固定具２を確実に固定させ、床用固定具２の内側に充填した接着剤５に脚体４の下端側を十分に接触させて固定させる。【解決手段】床用固定具２と、床用固定具２の下端開口位置から浮いた状態で接着剤充用填空間２ｈ内へ下端側を挿入する脚体４と、接着剤充填用空間２ｈに充填する接着剤５とを備え、床用固定具２は、第１仕切部２ｂで筒状部２ａの内側を上方空間２ｈ−１と下方空間２ｈ−２とに区画し、脚体挿通孔２ｄ付の第２仕切部２ｃで上方空間２ｈ−１を覆い、脚体４は、床用固定具２の下方空間２ｈ−２に頭部４ｂを上下移動可能に配置して軸部４ａを脚体挿通孔２ｄへ挿通させ、頭部２ｂを第２仕切部２ｃに係止させるようにし、接着剤５は、上方空間２ｈ−１へ充填する脚体固定用接着剤５ａと、下方空間２ｈ−１へ充填する固定具固定用接着剤５ｂとからなる。【選択図】図２
2011001702.tif 000002
【特許請求の範囲】
【請求項１】
下端開口した筒状部の内側に接着剤充填用空間を形成した床用固定具と、床用固定具の下端開口位置から浮いた状態で接着剤充用填空間内へ下端側を挿入する脚体と、床用固定具の接着剤充填用空間に充填する接着剤とを備えた床用固定具付き脚体装置において、
前記床用固定具は、筒状部の内側に設けた第１仕切部で筒状部の内側を接着剤充填用上方空間と接着剤充填用下方空間とに区画し、筒状部に接合した脚体挿通孔付の第２仕切部で接着剤充填用上方空間を覆い、
前記脚体は、軸部と、軸部より大径の頭部とを備え、床用固定具の接着剤充填用下方空間に頭部を上下移動可能に配置して軸部を第２仕切部の脚体挿通孔へ挿通させ、頭部を第２仕切部に係止させるようにし、
前記接着剤は、接着剤充填用上方空間へ充填する脚体固定用接着剤と、接着剤充填用下方空間へ充填する固定具固定用接着剤とからなること
を特徴とする床用固定具付き脚体装置。
【請求項２】
前記脚体固定用接着剤は、床用固定具の第１仕切部と脚体頭部の下端面と間の上下隙間に充填される上下隙間用接着剤と、筒状部の内周面と脚体頭部の外周面との間の半径方向隙間に充填される半径方向隙間用接着剤とからなり、上下隙間用接着剤が半径方向隙間用接着剤よりも硬化速度を速くした
請求項１記載の床用固定具付き脚体装置。
【請求項３】
床用固定具は、筒状部における第２仕切部より上方へ延びる部分の内側に脚体降下阻止具を設け、
脚体降下阻止具は、脚体軸部に係合して脚体の降下を阻止する係合位置から非係合位置まで進退自在な係合部を有する係合具と、床用固定具の第１仕切部と係合具との間に設けられ、係合具の係合部を非係合位置から係合位置まで移動させる遠隔操作のできる係合切替具とを備えている
請求項１記載の床用固定具付き脚体装置。
【請求項４】
下端開口した筒状部の内側に接着剤充填用空間を形成した床用固定具と、床用固定具の下端開口位置から浮いた状態で接着剤充用填空間内へ下端側を挿入する脚体と、床用固定具の接着剤充填用空間に充填する接着剤とを備えた床用固定具付き脚体装置において、
前記床用固定具は、筒状部の内側に設けた脚体挿通孔付の第１仕切部で筒状部の内側を上方空間と下方の接着剤充填用空間とに区画し、上方空間に脚体降下阻止具を配置し、
前記脚体は、軸部と、軸部より大径の頭部とを備え、床用固定具の接着剤充填用空間に頭部を上下移動可能に配置して軸部を第１仕切部の脚体挿通孔へ挿通させ、頭部を第１仕切部に係止させるようにし、
前記脚体降下阻止具は、脚体軸部に係合して脚体の降下を阻止する係合位置から非係合位置まで進退自在な係合部を有する係合具と、床用固定具の第１仕切部と係合具との間に設けられ、係合具の係合部を非係合位置から係合位置まで移動させる遠隔操作のできる係合切替具とを備えていること
を特徴とする床用固定具付き脚体装置。
【請求項５】
下端開口した筒状部の内側に接着剤充填用空間を形成した床用固定具と、床用固定具の下端開口位置から浮いた状態で床用固定具の内側へ下端側を挿入する脚体と、床用固定具の接着剤充填用空間に充填する接着剤とを備えた床用固定具付き脚体装置において、
前記床用固定具は、筒状部の内側に設けた第１仕切部で筒状部の内側を上方空間と接着剤充填用空間とに区画し、筒状部に接合した脚体挿通孔付の第２仕切部で上方空間を覆い、前記脚体は、軸部と、軸部より大径の頭部と、脚体降下阻止具を備え、床用固定具の上方空間に頭部を上下移動可能に配置して軸部を第２仕切部の脚体挿通孔へ挿通させ、頭部を第２仕切部に係止させるようにし、
前記脚体降下阻止具は、第２仕切部より上方に配置され、脚体の軸部の雄ねじに螺合した雌ねじと、雌ねじに巻回されて延長した引張具とからなり、雌ねじを、第２仕切部に当接しない後退位置から引張り操作される引張具で回転して第２仕切部に当接する脚体降下阻止位置まで移動できるようにしたこと
を特徴とする床用固定具付き脚体装置。
【発明の詳細な説明】
【技術分野】
【０００１】
本発明は、施工床上に、長い脚体（以下、「着地脚体」と言う。）及び着地脚体より下方へ突出しない短い脚体（以下、「非着地脚体」と言う。）を用いて被支持体を設置するときに、非着地脚体を施工床に固定するための床用固定具付き脚体装置に関するものである。
【背景技術】
【０００２】
施工床上に浴室用防水パン等の被支持体を設置する場合には、被支持体に高さ調節可能な着地脚体及び高さ調節不可能な非着地脚体を接合した後に、着地脚体を介して被支持体を施工床に載置し、施工時に手の届く範囲に設けた着地脚体を高さ調節して被支持体のレベルを出すと共に、手の届かない範囲に設けた非着地脚体を施工床へ床用固定具で固定するようにして、この施工時に手の届かない範囲における被支持体の沈み込みを非着地脚体で阻止するようにしている。
【０００３】
非着地脚体を施工床へ固定するための床用固定具としては、内側に接着剤を充填できる上下端開口した筒状のものを用いるものがある（特許文献１、特許文献２）。この床用固定具は、接着剤を充填した状態で施工床の所定位置に予め配設され、被支持体を施工床に載置するのと並行して接着剤に挿入された非着地脚体を、施工床から浮いた状態で接着剤で固定するものである。非着地脚体を施工床から浮いた状態で固定するのは、着地脚体の高さ調節寸法や施工床の凹凸等を考慮する必要があるためである。
【先行技術文献】
【特許文献】
【０００４】
【特許文献１】特開昭５４−１３１３３３号公報
【特許文献２】特開平４−３１５６２９号公報
【発明の概要】
【発明が解決しようとする課題】
【０００５】
ところで、施工床の所定位置に床用固定具を配置するのには熟練を要し、もし、所定位置から床用固定具が外れて配置されているときには、床用固定具の内側に充填されている接着剤へ非着地脚体を挿入できないため、非着地脚体が固定されずに被支持体の沈み込みを生じさせる問題を生じさせる。この問題解決のために、床用固定具の外径寸法を大きくすることも考えられるが、接着剤の量が極端に増加すると共に、もし接着剤の量が不足しているときには、非着地脚体の下端側に対する接着剤の接触が不十分となって被支持体の沈み込みを生じさせることもある。
【０００６】
また、床用固定具に充填されている接着剤が非着地脚体を固定するの十分な強度を発揮する硬化状態となる前の半硬化状態のときに作業者が被支持体に乗った場合には、作業者の重みにより被支持体の沈み込みと共に短い脚が降下して接着剤との間でズレを生じさせ、その後の作業者の立ち去りによる被支持体の弾性復元で短い脚が上昇したときに、半硬化状態の接着剤を介して持ち上げられた床用固定具を施工床から剥離させる等して、施工床に対する床用固定具の固着力を著しく低下させる問題を招くことがある。そのため、施工床に被支持体を載置して着地脚体を高さ調節した後の早い時点で作業者が被支持体に乗ることができるようにして、作業性の向上を図りたい要請がある。
【０００７】
本発明は、上記問題を解決するために、床用固定具の外径寸法を大きくすることなく、施工床に床用固定具を確実に固定できると共に、床用固定具の内側に充填されている接着剤に脚体の下端側を十分に接触させて接着できる床用固定具付き脚体装置を提供するものである。また、本発明は、早い時点から作業者が被支持体に乗って作業がしたい要請に応えることができる床用固定具付き脚体装置を提供するものである。
【課題を解決するための手段】
【０００８】
床用固定具の外径寸法を大きくすることなく、施工床に床用固定具を確実に固定できると共に、床用固定具の内側に充填した接着剤に脚体の下端側を十分に接触させて固定できるように請求項１記載の本発明が採用した手段は、下端開口した筒状部の内側に接着剤充填用空間を形成した床用固定具と、床用固定具の下端開口位置から浮いた状態で接着剤充用填空間内へ下端側を挿入する脚体と、床用固定具の接着剤充填用空間に充填する接着剤とを備えた床用固定具付き脚体装置において、前記床用固定具は、筒状部の内側に設けた第１仕切部で筒状部の内側を接着剤充填用上方空間と接着剤充填用下方空間とに区画し、筒状部に接合した脚体挿通孔付の第２仕切部で接着剤充填用上方空間を覆い、前記脚体は、軸部と、軸部より大径の頭部とを備え、床用固定具の接着剤充填用下方空間に頭部を上下移動可能に配置して軸部を第２仕切部の脚体挿通孔へ挿通させ、頭部を第２仕切部に係止させるようにし、前記接着剤は、接着剤充填用上方空間へ充填する脚体固定用接着剤と、接着剤充填用下方空間へ充填する固定具固定用接着剤とからなることを特徴とする床用固定具付き脚体装置である。
【０００９】
請求項１記載の本発明にあっては、床用固定具の第２仕切部に脚体頭部を係止させて床用固定具と脚体の分離を防止でき、脚体軸部及び別の着地脚体を接合した被支持体が着地脚体を介して施工床上に設置されると、脚体に対して上下移動可能な床用固定具の筒状部の高さ位置が施工床の不陸に応じて決まり、施工床に筒状部を固定具固定用接着剤で接合すると共に、筒状部に脚部頭部を脚体固定用接着剤で接合する。
【００１０】
早い時点から作業者が被支持体に乗って作業がしたい要請に応えられるように請求項２記載の本発明が採用した手段は、前記脚体固定用接着剤は、床用固定具の第１仕切部と脚体頭部の下端面と間の上下隙間に充填される上下隙間用接着剤と、筒状部の内周面と脚体頭部の外周面との間の半径方向隙間に充填される半径方向隙間用接着剤とからなり、上下隙間用接着剤が半径方向隙間用接着剤よりも硬化速度を速くした請求項１記載の床用固定具付き脚体装置である。
【００１１】
請求項２記載の本発明にあっては、床用固定具の第１仕切部に脚体頭部を早く硬化する上下隙間用接着剤で接合できるため、半径方向隙間用接着剤が完全に硬化する前でも、被支持体に作業者が乗って作業等を行なうことを可能にすると共に、上下隙間用接着剤の回りを半径方向隙間用接着剤で囲んで上下隙間用接着剤を補強できる。
【００１２】
早い時点から作業者が被支持体に乗って作業がしたい要請に応えられるように請求項３記載の本発明が採用した手段は、床用固定具は、筒状部における第２仕切部より上方へ延びる部分の内側に脚体降下阻止具を設け、脚体降下阻止具は、脚体軸部に係合して脚体の降下を阻止する係合位置から非係合位置まで進退自在な係合部を有する係合具と、床用固定具の第１仕切部と係合具との間に設けられ、係合具の係合部を非係合位置から係合位置まで移動させる遠隔操作のできる係合切替具とを備えている請求項１記載の床用固定具付き脚体装置である。
【００１３】
請求項３記載の本発明にあっては、係合切替具で係合具の係合部を非係合位置に位置させて脚体を上下移動可能な状態としたまま、床用固定具を施工床に載置して筒状部を施工床に当接させ、その後に、係合切替具の遠隔操作で係合位置に位置させた係合具の係合部を脚体軸部に係合させることで、脚体を下方へ移動させないように係合具で保持して脚体の降下を阻止できる。
【００１４】
床用固定具の外径寸法を大きくすることなく、施工床に床用固定具を確実に固定できると共に、床用固定具の内側に充填した接着剤に脚体の下端側を十分に接触させて固定でき、また、早い時点から作業者が被支持体に乗って作業がしたい要請に応えられるように請求項４記載の本発明が採用した手段は、下端開口した筒状部の内側に接着剤充填用空間を形成した床用固定具と、床用固定具の下端開口位置から浮いた状態で接着剤充用填空間内へ下端側を挿入する脚体と、床用固定具の接着剤充填用空間に充填する接着剤とを備えた床用固定具付き脚体装置において、前記床用固定具は、筒状部の内側に設けた脚体挿通孔付の第１仕切部で筒状部の内側を上方空間と下方の接着剤充填用空間とに区画し、上方空間に脚体降下阻止具を配置し、前記脚体は、軸部と、軸部より大径の頭部とを備え、床用固定具の接着剤充填用空間に頭部を上下移動可能に配置して軸部を第１仕切部の脚体挿通孔へ挿通させ、頭部を第１仕切部に係止させるようにし、前記脚体降下阻止具は、脚体軸部に係合して脚体の降下を阻止する係合位置から非係合位置まで進退自在な係合部を有する係合具と、床用固定具の第１仕切部と係合具との間に設けられ、係合具の係合部を非係合位置から係合位置まで移動させる遠隔操作のできる係合切替具とを備えていることを特徴とする床用固定具付き脚体装置である。
【００１５】
請求項４記載の本発明にあっては、床用固定具の第１仕切部に脚体頭部を係止させて床用固定具と脚体の分離を防止でき、脚体軸部及び別の着地脚体を接合した被支持体が着地脚体を介して施工床上に設置するときに、係合切替具で係合具の係合部を非係合位置に位置させた状態のままにすることで、施工床に床用固定具が当接するときに脚体に対して上下移動可能な床用固定具の筒状部の高さ位置が施工床の不陸に応じて決まり、施工床に筒状部を接着剤で接合する。接着剤が硬化する前に、係合切替具の遠隔操作で係合位置に位置させた係合具の係合部を脚体軸部に係合させることで、脚体を下方へ移動させないように係合具で保持して脚体の降下を阻止できる。
【００１６】
床用固定具の外径寸法を大きくすることなく、施工床に床用固定具を確実に固定できると共に、床用固定具の内側に充填した接着剤に脚体の下端側を十分に接触させて固定でき、また、早い時点から作業者が被支持体に乗って作業がしたい要請に応えられるように請求項５記載の本発明が採用した手段は、下端開口した筒状部の内側に接着剤充填用空間を形成した床用固定具と、床用固定具の下端開口位置から浮いた状態で床用固定具の内側へ下端側を挿入する脚体と、床用固定具の接着剤充填用空間に充填する接着剤とを備えた床用固定具付き脚体装置において、前記床用固定具は、筒状部の内側に設けた第１仕切部で筒状部の内側を上方空間と接着剤充填用空間とに区画し、筒状部に接合した脚体挿通孔付の第２仕切部で上方空間を覆い、前記脚体は、軸部と、軸部より大径の頭部と、脚体降下阻止具を備え、床用固定具の上方空間に頭部を上下移動可能に配置して軸部を第２仕切部の脚体挿通孔へ挿通させ、頭部を第２仕切部に係止させるようにし、前記脚体降下阻止具は、第２仕切部より上方に配置され、脚体の軸部の雄ねじに螺合した雌ねじと、雌ねじに巻回されて延長した引張具とからなり、雌ねじを、第２仕切部に当接しない後退位置から引張り操作される引張具で回転して第２仕切部に当接する脚体降下阻止位置まで移動できるようにしたことを特徴とする床用固定具付き脚体装置である。
【００１７】
請求項５記載の本発明にあっては、床用固定具の第２仕切部に脚体頭部を係止させて床用固定具と脚体の分離を防止でき、脚体軸部及び別の着地脚体を接合した被支持体が着地脚体を介して施工床上に設置されると、脚体に対して上下移動可能な床用固定具の筒状部の高さ位置が施工床の不陸に応じて決まり、施工床に筒状部を接着剤で接合する。接着剤が硬化する前に、引張具の引張り操作で脚体降下阻止具の雌ねじを回転させて脚体降下阻止位置まで移動させることにより、雌ねじを第２仕切部に当接させて脚体を下方へ移動させないようにできる。
【発明の効果】
【００１８】
請求項１記載の本発明に係る床用固定具付き脚体装置は、脚体から脚体固定用接着剤及び固定具固定用接着剤の充填されている床用固定具を脱落させることがないため、床用固定具の外径寸法を大きくすることなく施工床に床用固定具を確実に固定できると共に、床用固定具の内側に充填した脚体固定用接着剤に脚体の下端側を十分に接触させて固定できる。
【００１９】
請求項２記載の本発明に係る床用固定具付き脚体装置は、硬化速度の速い上下隙間用接着剤で脚体の頭部を床用固定具へ迅速に接合でるため、早い時点から被支持体に作業者が乗って作業のできる状態にできる。
【００２０】
請求項３記載の本発明に係る床用固定具付き脚体装置は、係合切替具を遠隔操作して脚体を下方へ移動しないように係合具で保持できるため、接着剤が硬化する前の早い時点から被支持体に作業者が乗って作業のできる状態にできる。
【００２１】
請求項４記載の本発明に係る床用固定具付き脚体装置は、脚体から接着剤の充填されている床用固定具を脱落させることがないため、床用固定具の外径寸法を大きくすることなく施工床に床用固定具を確実に固定できると共に、床用固定具の内側に充填した接着剤に脚体の下端側を十分に接触させて固定できる。また、接着剤が硬化する前に、係合切替具を遠隔操作して脚体を下方へ移動しないように保持できるため、早い時点から被支持体に作業者が乗って作業のできる状態にできる。
【００２２】
請求項５記載の本発明に係る床用固定具付き脚体装置は、脚体から接着剤の充填されている床用固定具を脱落させることがないため、床用固定具の外径寸法を大きくすることなく施工床に床用固定具を確実に固定できると共に、床用固定具の内側に充填した接着剤に脚体の下端側を十分に接触させて固定できる。また、接着剤が硬化する前に、引張具の引張り操作で脚体降下阻止具の雌ねじを上方仕切り部に当接させて脚体を下方へ移動しないように保持できるため、早い時点から被支持体に作業者が乗って作業のきる状態にできる。
【図面の簡単な説明】
【００２３】
【図１】本発明の第１の実施の形態を示すものであって、本発明に係る床用固定具付き脚体装置１と着地脚体９を用いて被支持体７を施工床Ｆ上に設置した状態を示す部分断面した正面図である。
【図２】図（Ａ）は第１の実施の形態における床用固定具付き脚体装置１を被支持体７に接合する直前の状態を示す中間省略した正面図、図（Ｂ）は床用固定具付き脚体装置１を被支持体７に接続して施工床Ｆ上に設置した状態を示す中間省略した正面図、図（Ｃ）は別態様の脚体固定用接着剤５ａを充填した設置前の状態の要部を示す正面図、図（Ｄ）は別態様の脚体固定用接着剤５ａを充填して施工床Ｆ上に設置した状態の要部を示す正面図である。
【図３】図（Ａ）は第１の実施の形態に係る床用固定具付き脚体装置１を接着剤が充填される前の各構成部に分解して示す正面図、図（Ｂ）は床用固定具２の構造が異なる態様において各構成部に分解して示す中間省略した正面図である。
【図４】図（Ａ）は本発明の第２の実施の形態を示すものであって床用固定具付き脚体装置１１を被支持体７に接合する直前の状態を示す中間省略した正面図、図（Ｂ）は図（Ａ）のｂ−ｂ線で断面した平面図、図（Ｃ）は図（Ａ）のｃ−ｃ線で断面した平面図、図（Ｄ）は上下方向に縮んだ状態の係合具１４を示す斜視図である。
【図５】図（Ａ）は第２の実施の形態に係る床用固定具付き脚体装置１１を被支持体７に接続して施工床Ｆ上に設置し、係合切替具１５で係合具１４の各係合部１４ａ，１４ｂを非係合位置にしている中間省略した正面図、図（Ｂ）は下方へ伸びた係合具１４の各係合部１４ａ，１４ｂを係合位置にして脚体４を下方へ移動しないように保持している状態を示す中間省略した正面図である。
【図６】第２の実施の形態に係る床用固定具付き脚体装置１１を接着剤が充填される前の各構成部に分解して示す正面図である。
【図７】図（Ａ）は本発明の第２の実施の形態において、別態様の係合切替具１６で係合具１４の各係合部１４ａ，１４ｂを非係合位置にしている中間省略した正面図、図（Ｂ）は伸びた係合具１４の各係合部１４ａ，１４ｂを係合位置にして脚体４を下方へ移動しないように保持している状態を示す中間省略した正面図である。
【図８】図（Ａ）は第３の実施の形態における床用固定具付き脚体装置２１を被支持体７に接合する直前の状態を示す中間省略した正面図、図（Ｂ）は床用固定具付き脚体装置２１を接合した被支持体７を施工床Ｆ上に設置し、係合切替具１５で係合具１４の各係合部１４ａ，１４ｂを非係合位置にしている中間省略した正面図、図（Ｃ）は伸びた係合具１４の各係合部１４ａ，１４ｂを係合位置にして脚体４を下方へ移動しないように保持している状態の要部を示す正面図である。
【図９】第３の実施の形態に係る床用固定具付き脚体装置２１を接着剤が充填される前の各構成部に分解して示す正面図である。
【図１０】図（Ａ）は第４の実施の形態における床用固定具付き脚体装置３１を被支持体７に接合する直前の状態を示す中間省略した正面図、図（Ｂ）は床用固定具付き脚体装置３１を接合した被支持体７を施工床Ｆ上に設置し、脚体降下阻止具３３の雌ねじ３３ａを後退位置に待機させている状態を示す中間省略した正面図、図（Ｃ）は脚体降下阻止具３３の引張具３３ｂの引張り操作で雌ねじ３３ａを脚体降下阻止位置にして脚体４を下方へ移動しないように保持している状態の要部を示す正面図、図（Ｄ）は床用固定具付き脚体装置３１の床用固定具３２の上方空間２ｈ−１に脚体固定用接着剤５ｂを充填した別態様の要部を示す正面図である。
【図１１】第４の実施の形態に係る床用固定具付き脚体装置３１を接着剤が充填される前の各構成部に分解して示す正面図である。
【発明を実施するための形態】
【００２４】
本発明に係る床用固定具付き脚体装置（以下、「本発明装置」と言う。）を図面に示す実施形態に基づいて説明する。
【００２５】
（第１の実施の形態）
図１乃至図４は第１の実施の形態に係る本発明装置１を示すものである。本発明装置１は、図２（Ａ）に示す如く、下端開口して内側に空間２ｈ（２ｈ−１，２ｈ−２）を形成した床用固定具２と、床用固定具２の下端開口位置から浮いた状態で上方空間２ｈ−１内へ下端側（頭部４ｂ側）を挿入する脚体４と、床用固定具２の空間２ｈ（２ｈ−１，２ｈ−２）に充填する接着剤５（５ａ，５ｂ）と、押圧具６とを備えている。
【００２６】
前記床用固定具２は、図２（Ａ）に示す如く、金属素材又は合成樹脂素材から形成され、下端開口した筒状部２ａと、筒状部２ａの内側に設けられて筒状部２ａに接合した第１仕切部２ｂと、第１仕切部２ｂより上方で筒状部２ａに接合した脚体挿通孔２ｄ付きの第２仕切部２ｃとを備え、筒状部２ａの内側の空間２ｈを第１仕切部２ｂで上方空間２ｈ−１と下方空間２ｈ−２とに区画すると共に、上方空間２ｈ−１を第２仕切部２ｃで覆ってある。上方空間２ｈ−１は、後述する脚体４の頭部４ｂが上下移動できる上下寸法になっている。上方空間２ｈ−１と下方空間２ｈ−２とからなる空間２ｈは、接着剤充填用の空間となる。
【００２７】
前記床用固定具２の筒状部２ａは、図３に示す如く、分離成形された上半部２ａ−１と下半部２ａ−２を接合するものであって、図（Ａ）に示すように上半部２ａ−１に上方空間２ｈ−１を形成すると共に下半部２ａ−２に下方空間２ｈ−２を形成する態様と、図（Ｂ）に示すように下半部２ａ−２に上方空間２ｈ−１及び下方空間２ｈ−２を形成する態様等がある。上半部２ａ−１と下半部２ａ−２との接合は、図示する螺合による態様の他に、図示は省略したが無理バメ嵌合による態様もある。
【００２８】
前記脚体４は、一般的に六角頭付きボルトが用いられ、軸部４ａと、軸部４ａより大径の頭部４ｂとを備えている。脚体４は、筒状部２ａの分離状態の上半部２ａ−１の下端側から軸部４ａを脚体挿通孔２ｄへ挿通させ、上方空間２ｈ−１に脚体固定用接着剤５ａを充填した状態で筒状部２ａの上半部２ａ−１と下半部２ａ−２の接合により、図２（Ａ）（Ｂ）に示すように、上方空間２ｈ−１へ上下動可能に挿入した頭部４ｂを第２仕切部２ｃに係止させるようにして床用固定具２と分離しないようになっている。脚体４は、床用固定具２の上方空間２ｈ−１内で頭部４ｂを寸法Ｈ（例えば、Ｈ＝３０ｍｍ）だけ上下移動できるようになっており、施工床Ｆの一般的な不陸に対処できるようにしてある。
【００２９】
前記接着剤５は、図２（Ａ）（Ｂ）に示すように、脚体頭部４ｂが挿入されている接着剤充填用上方空間２ｈ−１へ充填する脚体固定用接着剤５ａと、接着剤充填用下方空間２ｈ−２へ充填する固定具固定用接着剤５ｂとからなり、両接着剤５ａ，５ｂとして主剤と硬化剤とを混ぜ合わせたエポキシ系接着剤等の熱硬化性接着剤が用いられる。脚体固定用接着剤５ａは、上方空間２ｈ−１内の脚体頭部４ｂの上下移動に伴って、上方空間２ｈ−１内を流動できる粘性のものが好ましい。また、固定具固定用接着剤５ｂは、下方空間２ｈ−２内に保持され、筒状部２の下端開口部から垂れ落ちない粘性のもの（例えば、マーガリン状のもの）が好ましい。固定具固定用接着剤５ｂは、下端開口部から溢れ出る程度の分量が充填され、図２（Ｂ）に示す如く、設置した施工床Ｆの凹凸部へ浸入させて筒状部２の下方外周縁に余分に盛り上がるようになっている。なお、脚体固定用接着剤５ａと固定具固定用接着剤５ｂは、同一仕様の接着剤でもよい。
【００３０】
前記押圧具６は、脚体軸部４ａを外嵌するように設けられる圧縮コイルバネ６ａと、脚体軸部４ａに取付け鍔部６ｂ（本例はナット）とからなり、床用固定具２の第２仕切部２ｃと鍔部６ｂのと間に配置された圧縮コイルバネ６ａの反発弾性力で床用固定具２を下方へ押圧するようにしてある。床用固定具２は、設置前（図２（Ａ）に示す状態）では圧縮コイルバネ６ａで押圧されて脚体頭部４ｂが第２仕切部２ｃに係止し、設置後（図２（Ｂ）に示す状態）では圧縮コイルバネ６ａを圧縮するようにして施工床Ｆから押し上げられて、脚体頭部４ｂが第２仕切部２ｃから離れるようになっている。なお、圧縮コイルバネ６ａの反発弾性力に相当する床用固定具２の自重がある場合には、押圧具６を省略することも可能である。
【００３１】
本発明装置１を用いて浴室用防水パン等からなる被支持体１２を施工床Ｆ上に設置する施工手順は以下の通りである。先ず、本発明装置１が各構成部を分解した状態で供給されているときには、図３に示す筒状部２ａの分離した上半部２ａ−１の下端側から軸部４ａを脚体挿通孔２ｄへ挿通させて、接着剤充填用上方空間２ｈ−１に脚体固定用接着剤５ａを充填した状態で筒状部２ａの上半部２ａ−１と下半部２ａ−２を接合して、その後に図２（Ａ）（Ｂ）に示すように、筒状部２ａから突出する脚体軸部４ａに押圧具６の圧縮コイルバネ１０を外嵌すると共に鍔部６ｂを脚体軸部４ａを螺合し、第２仕切部２ｃを脚体頭部４ｂに押し付ける。
【００３２】
次に、図２（Ａ）に示す如く、接着剤充填用下方空間内２ｈ−２に固定具固定用接着剤５ｂを筒状部２の下端開口部から溢れ出る程度に充填して、施工床Ｆに接着できる床用固定具２と脚体４を一体化した本発明装置１が組み立てられる。本発明装置１は、脚体固定用接着剤５ａが硬化するまでは、脚体４に対して床用固定具２を寸法Ｈだけ上下移動させることができる。
【００３３】
続けて、組み立てられた本発明装置１は、図２（Ｂ）に示す如く、施工時に手の届かない被支持体７の所定位置に脚体軸部４ａが接合される。この接合は、例えば、被支持体７の接合用螺子部７ａに脚体軸部４ａの上端側を螺着し、ロックナット８を緊締して行われる。被支持体７は、図１に示す如く、施工時に手の届く範囲の所定位置に高さ調節可能な必要本数の着地脚体９が接合されて、施工床Ｆ上の所定位置に配置される。本発明装置１は、被支持体７が施工床Ｆ上に配置されると、施工床Ｆに筒状部２ａの下端開口部を当接した床用固定具２が、施工床Ｆの不陸に応じた寸法だけ圧縮コイルバネ６ａの反発力（圧縮コイルバネ１０を省略したときには床用固定具２の自重）に抗して持ち上げられると共に、施工床Ｆに未硬化の固定具固定用接着剤５ｂを付着させる。
【００３４】
最後に、各着地脚体９の高さ調節を行い被支持体７のレベルを出す。このとき、本発明装置１が接合されている被支持体７の箇所が各着地脚体１４の高さ調節で上下移動すると、施工床Ｆへ押し付けられて不動状態の床用固定具２の接着剤充填用上方空間２ｈ−１内で脚体頭部４ｂが自動的に上下移動する。接着剤充填用上方空間２ｈ−１内の未硬化の脚体固定用接着剤５ａは、脚体頭部４ｂの上下移動に伴い、上方空間２ｈ−１内で移動する。なお、床用固定具２の脚体挿通孔２ｄは、挿通する脚体軸部４ａとの嵌合を、上方空間２ｈ−１内で移動する接着剤５ａが漏れ出し難い程度にしておくとよい。本発明装置１は、脚体固定用接着剤５ａ及び固定具固定用接着剤５ｂが硬化すると、施工床Ｆに被支持体７を確実に支持する。本発明装置１は、被支持体７を設置するときに、被支持体７に吊り下げ状態となっている脚体４から床用固定具２を脱落させることがないため、床用固定具２の外径寸法を必要最小限の大きさにして少量の接着剤５（５ａ，５ｂ）で施工床Ｆに床用固定具２を確実に固定できると共に、床用固定具２の内側に充填した脚体固定用接着剤５ｂに脚体４の下端側である頭部４ｂを十分に接触させて確実に固定できる。
【００３５】
前記接着剤充填用上方空間内２ｈ−１に充填される脚体固定用接着剤５ａの別態様としては、図２（Ｃ）（Ｄ）に示す如く、第１仕切部２ｂと脚体頭部４ｂの下端面との間の上下隙間に充填される上下隙間用接着剤５ａ−１と、筒状部２ａの内周面と脚体頭部４ｂの外周面との間の半径方向隙間に充填される半径方向隙間用接着剤５ａ−２とに分けて、硬化速度について上下隙間用接着剤５ａ−１を半径方向隙間用接着剤５ａ−２よりも速くすることもある。この場合の本発明装置１は、施工床Ｆに載置された床用固定具２に脚体頭部４ｂを早く硬化する上下隙間用接着剤５ａ−１で接合できるため、半径方向隙間用接着剤５ａ−２が完全に硬化する前でも、被支持体７に作業者が乗って作業等を行なうことを可能にできると共に、上下隙間用接着剤５ａ−１の回りを半径方向隙間用接着剤５ａ−２で囲んで上下隙間用接着剤５ａ−１を補強できる。硬化速度の遅い接着剤は、硬化速度の速い接着剤に比べてラクックを生じさせ難く且つ耐久性が優れている。そのため、本発明装置１は、硬化速度の速い上下隙間用接着剤５ａ−１を硬化速度の遅い半径方向隙間用接着剤５ａ−２で取り囲むことで、上下隙間用接着剤５ａ−１を補強できる。
【００３６】
（第２の実施の形態）
図４乃至図７は第２の実施の形態に係る本発明装置２１を示すものである。本発明装置１１は、早い時点から作業者が被支持体７に乗って作業がしたい要請に応えられるように床用固定具１２に脚体降下阻止具１３を備えたことが前記第１の実施の形態と大きく異なり、その他の部分については第１の実施の形態と実質的に同一であり、図４乃至図７において前記第１の実施の形態の図１乃至図３と同一符号は相当部分を示している。
【００３７】
本発明装置１１は、図４（Ａ）に示す如く、下端開口して内側に接着剤充填用空間２ｈ（２ｈ−１，２ｈ−２）と収納空間２ｋを形成した床用固定具１２と、床用固定具１２の下端開口位置から浮いた状態で上方空間２ｈ−１内へ下端側（頭部４ｂ側）を挿入する脚体４と、床用固定具１２の接着剤充填用空間２ｈ（２ｈ−１，２ｈ−２）に充填する接着剤５（５ａ，５ｂ）と、収納空間２ｋに設けた脚体降下阻止具１３と、押圧具６とを備えている。
【００３８】
前記床用固定具１２は、筒状部２ａに第２仕切部２ｃより上方へ延びる延長部分を設けて、延長部分の内側に収納空間２ｋを形成すると共に延長部分に接合した脚体挿通孔２ｄ付きの第３仕切部２ｇで収納空間２ｋを覆ってある。床用固定具１２の筒状部２ａは、図６に示す如く、分離成形された上半部２ａ−１と中間部２ａ−３と下半部２ａ−２を接合するものであって、上半部２ａ−１に脚体挿通孔２ｄ付き第３仕切部２ｇを設けて収納空間２ｋの一部を形成すると共に、中間部２ａ−３の内側に脚体挿通孔２ｄ付き第２仕切部を設けて収納空間２ｋと接着剤充填用上方空間２ｈ−１を区画形成し、下半部２ａ−２に第１仕切部２ｂを設けて接着剤充填用下方空間２ｈ−２を形成てある。上半部２ａ−１と中間部２ａ−３と下半部２ａ−２との接合は、図示する螺合による態様の他に、図示は省略したが無理バメ嵌合による態様もある。
【００３９】
前記脚体降下阻止具１３は、床用固定具１２の収納空間２ｋを挿通する脚体軸部４ａに係合して脚体４の降下を阻止する係合位置（図５（Ｂ）参照）から非係合位置（図５（Ａ）参照）まで進退自在な係合部１４ａ，１４ｂを有する係合具１４と、床用固定具１２の第１仕切部２ｂと係合具１４との間に設けられ、係合具１４の係合部１４ａ，１４ｂを非係合位置から係合位置まで移動させる遠隔操作のできる係合切替具１５とを備えている。    
【００４０】
前記係合具１４は、例えば、収納空間２ｋを挿通する脚体軸部４ａを介して対向配置した一方の係合部１４ａ及び他方の係合部１４ｂの両端どうしを連結部１４ｃ，１４ｃで連結してなる複数個の枠体１４ｄを連結片１４ｆで上下移動可能に繋げて、最上方の枠体１４ｄの上端前後から突設したピン１４ｅ，１４ｅを筒状部２ａの前後の吊下げ部２ａ−４，２ａ−４に吊り下げて下端を自由にして、全体を上下方向へ伸縮できるようにしてある。係合具１４は、横向凹状の吊下げ部２ａ−４，２ａ−４に上端前後のピン１４ｅ，１４ｅを脚体軸部４ａの半径方向へ移動できるよう吊り下げて、最上方の枠体１４ｄを係止状態と非係止状態に切り替えられるようにしてある。係合具１４は、図４（Ｄ）に示す如く、ジクザク状の圧縮バネ体１４ｇを各枠体１４ｄの係合部１４ａ，１４ｂに架け渡して、圧縮バネ体１４ｇの反発弾性力で係合具１４の下端を下方へ向かうように付勢することで、脚体降下阻止具１３で持ち上げられないときに確実に伸びて係止状態となるようにしてある。なお、係合具１４は、自重で確実に伸びるときには圧縮バネ体１４ｇを省略することも可能である。
【００４１】
前記係合切替具１５は、床用固定具１２の第２仕切部２ｃと係合具１４の最下方の枠体１４ｄとの間へ着脱自在に装着される持上げ部１５ａと、持上げ部１５ａから引張操作可能な位置まで延設した紐１５ｂとからなる。持上げ部１５ａは、平面Ｕ状状の凹部１５ａ−１で脚体軸部４ａを外嵌するよう装着されると、係合具１４の下端を持ち上げて係合具１４を縮め、脚体軸部４ａから各枠体１４ｄの両方の係合部１４ａ，１４ｂを離隔せる非係止状態（図５（Ａ）参照）とする。また、持上げ部１５ａは、作業者の引張操作で紐１５ｂを介して引っ張られると、筒状部２ａの開口部２ａ−５を介して筒状部２の外側へ離脱して、係合具１４の下端を持ち上げないで係合具１４を伸ばして、脚体軸部４ａに各枠体１４ｄの両方の係合部１４ａ，１４ｂを当接させて係止状態（図５（Ｂ）参照）とする。脚体４は、係合具１４が縮まって非係止状態のときには、床用固定具１２に対して上下移動可能となり、係合具１４が伸びて係止状態（図５（Ｂ）参照）のときには、各枠体１４ｄの両方の係合部１４ａ，１４ｂが脚体軸部４ａのねじ谷部に食い込むように係合して降下が阻止される。
【００４２】
前記係合切替具１５は、床用固定具１２へ着脱自在に装着させる態様以外に、図７に示す膨張収縮自在な空気袋状の係合切替具１６に変更することも可能である。係合切替具１６は、開閉弁１６ｃ付きの空気袋１６ａと、開閉弁１６ｃから引張操作可能な位置まで延設した紐１６ｂとからなる。係合切替具１６は、空気袋１６ａに予め圧縮空気を充填して開閉弁１６ｃを閉弁状態にした膨張状態の空気袋１６ａで係合具１４の下端を持ち上げ縮める。縮まって非係止状態（図７（Ａ）参照）となった係合具１４は、各枠体１４ｄの係合部１４ａ，１４ｂを脚体軸部４ａから離隔せて脚体４を上下移動可能とする。また、係合切替具１６は、作業者の引張操作で紐１６ｂが引っ張られて開閉弁１６ｃを開弁状態とすると、圧縮空気の抜けた空気袋１６ａで下端が持ち上げられない係合具１４を圧縮バネ体１４ｇの反発弾性力で伸ばす。伸びた係合具１４は、各枠体１４ｄの係合部１４ａ，１４ｂを脚体軸部４ａに当接させて係合状態（図７（Ｂ）参照）にして脚体４の降下を阻止する。
【００４３】
前記押圧具６は、前記第１の実施の形態に係る押圧具６と実質的に同一であるため、ここでの説明を省略する。
【００４４】
本発明装置１１は、脚体降下阻止具１３の係合切替具１５で係合具１４の係合部１４ａ，１４ｂを非係合位置に位置させて脚体４を上下移動可能な状態としたまま、床用固定具１２を施工床Ｆに載置して筒状部２ａを施工床に当接させ、その後に、係合切替具１５（又は係合切替具１６）を遠隔操作して係合具１４の係合部１４ａ，１４ｂを係合位置に位置させて脚体軸部４ａに係合させることで、脚体４を下方へ移動しないように係合具１４を介して床用固定具１２に保持できるため、脚体固定用接着剤５ａが硬化する前の早い時点から作業者が被支持体７に乗って作業ができる状態にできる。
【００４５】
（第３の実施の形態）
図８及び図９は第３の実施の形態に係る本発明装置２１を示すものである。本発明装置２１は、早い時点から作業者が被支持体７に乗って作業がしたい要請に応えられるように床用固定具２２に脚体降下阻止具１３を備えたこと、及び、接着剤５を一つにして脚体固定用と固定具固定用を兼用したことが前記第１の実施の形態と大きく異なり、その他の部分については第１の実施の形態と実質的に同一であり、図８及び図９において前記第１の実施の形態の図１乃至図３と同一符号は相当部分を示している。
【００４６】
本発明装置２１は、図８（Ａ）に示す如く、下端開口して内側に下方の接着剤充填用空間２ｈと上方の収納空間２ｋを形成した床用固定具２２と、床用固定具２２の下端開口位置から浮いた状態で接着剤充用填空間２ｈ内へ下端側（頭部４ｂ側）を挿入する脚体４と、床用固定具２２の接着剤充填用空間２ｈに充填する接着剤５と、収納空間２ｋに設けた脚体降下阻止具１３と、押圧具６とを備えている。
【００４７】
前記床用固定具２２は、筒状部２ａの内側に設けた脚体挿通孔付２ｄの第２仕切部２ｃで筒状部２ａの内側を上方の収納空間２ｋと下方の接着剤充填用空間２ｈとに区画し、上方の収納空間２ｋに脚体降下阻止具１３を配置してある。床用固定具２２の筒状部２ａは、図９に示す如く、分離成形された上半部２ａ−１と下半部２ａ−６を接合するものであって、上半部２ａ−１に脚体挿通孔２ｄ付きの第３仕切部２ｇを設けて収納空間２ｋの一部を形成すると共に、下半部２ａ−６の内側に脚体挿通孔２ｄ付きの第２仕切部２ｃを設けて収納空間２ｋ及び下端開口した接着剤充填用空間２ｈを形成してある。上半部２ａ−１と下半部２ａ−６との接合は、図示する螺合による態様の他に、図示は省略したが無理バメ嵌合による態様もある。
【００４８】
前記脚体４は、接着剤充填用空間２ｈに頭部４ｂを上下移動可能に配置して軸部４ａを第２仕切部２ｃの脚体挿通孔２ｄへ挿通させ、頭部４ｂを第２仕切部２ｃに係止させるようにして床用固定具２２と分離しないようになっている。脚体４は、脚体降下阻止具１３で降下が阻止されていないとき、施工床Ｆに載置する床用固定具２２に対して上下寸法Ｈだけ上下移動できるようになっており、施工床Ｆの一般的な不陸に対処できるようにしてある。
【００４９】
前記接着剤５は、施工床Ｆに床固定具２２を固定する機能と、床固定具２２に脚体頭部４ａを固定する機能とを備え、主剤と硬化剤とを混ぜ合わせたエポキシ系接着剤等の熱硬化性接着剤が用いられる。接着剤５は、床固定具２２の下端開口部から垂れ落ちない粘性のもの（例えば、マーガリン状のもの）が選択され、床固定具２２の下端開口部から溢れ出る程度の分量が充填される。
【００５０】
前記脚体降下阻止具１３及び押圧具６は、前記第２の実施の形態に係る脚体降下阻止具１３（図４乃至図７参照）と前記第１の実施の形態に係る押圧具６（図２及び図３参照）と実質的に同一であるため、ここでの説明を省略する。なお、脚体降下阻止具１３は、係合具１４と係合切替具１５を組み合わせたものを図示してあるが、係合具１４と係合切替具１６（図７参照）を組み合わせたものを採用することも勿論可能である。
【００５１】
本発明装置２１は、図８（Ｂ）に示す如く、脚体降下阻止具１３の係合切替具１５で係合具１４の係合部１４ａ，１４ｂを非係合位置に位置させて、脚体４に対して上下移動可能な床用固定具２２を施工床Ｆに載置して筒状部２ａを施工床Ｆに当接させ、その後に、係合切替具１５（又は図７に示す係合切替具１６）を遠隔操作し、図８（Ｃ）に示す如く、係合具１４の係合部１４ａ，１４ｂを係合位置に位置させて脚体軸部４ａに係合させることで、脚体４を下方へ移動しないように係合具１４で床用固定具２２に保持できるため、脚体固定用接着剤５が硬化する前の早い時点から作業者が被支持体７に乗って作業ができる状態にできる。
【００５２】
（第４の実施の形態）
図１０及び図１１は第４の実施の形態に係る本発明装置３１を示すものである。本発明装置３１は、早い時点から作業者が被支持体７に乗って作業がしたい要請に応えられるように脚体４に脚体降下阻止具３３を備えたことが前記第１の実施の形態と大きく異なり、その他の部分については第１の実施の形態と実質的に同一であり、図１０及び図１１において前記第１の実施の形態の図１乃至図３と同一符号は相当部分を示している。
【００５３】
本発明装置３１は、図１０（Ａ）に示す如く、下端開口して内側に上方空間２ｈ−１と接着剤充填用下方空間２ｈ−２を形成した床用固定具３２と、床用固定具３２の下端開口位置から浮いた状態で上方空間２ｈ−１内へ下端側（頭部４ｂ側）を挿入する脚体４と、床用固定具３２の接着剤充填用下方空間２ｈ−２に充填する固定具固定用接着剤５ｂと、押圧具３６とを備えている。
【００５４】
前記床用固定具３２は、金属素材又は合成樹脂素材から形成され、下端開口した筒状部２ａと、筒状部２ａの内側に設けて筒状部２ａに接合した第１仕切部２ｂと、第１仕切部２ｂより上方で筒状部２ａに接合した脚体挿通孔２ｄ付きの第２仕切部２ｃとを備え、筒状部２ａの内側を上方空間２ｈ−１と下端開口した接着剤充填用下方空間２ｈ−２とに区画すると共に、上方空間２ｈ−１を第２仕切部２ｃで覆ってある。上方空間２ｈ−１は、脚体４の頭部４ｂが上下寸法Ｈだけ上下移動できるようになっている。
【００５５】
前記脚体４は、脚体降下阻止具３３を備える共に、床用固定具３２の上方空間２ｈ−１に頭部４ｂを配置して軸部４ａを第２仕切部２ｃの脚体挿通孔２ｄへ挿通させて、頭部４ｂを第２仕切部２ｃに係止させるようにし、床用固定具３２と分離しないようになっている。脚体４は、床用固定具３２の上方空間２ｈ−１内で頭部４ｂを上下移動できるようになっており、施工床Ｆの一般的な不陸に対処できるようにしてある。
【００５６】
前記床用固定具３２の筒状部２ａは、図１１に示す如く、分離成形された上半部２ａ−１と下半部２ａ−２を接合するものであって、上半部２ａ−１に上方空間２ｈ−１を形成すると共に下半部２ａ−２に接着剤充填用下方空間２ｈ−２を形成してある。上半部２ａ−１と下半部２ａ−２との接合は、図示する螺合による態様の他に、図示は省略したが無理バメ嵌合による態様もある。
【００５７】
前記脚体降下阻止具３３は、第２仕切部２ｃより上方に配置され、脚体軸部４ａの雄ねじに螺進自在に螺合した雌ねじ３３ａと、雌ねじ３３ａに巻回されて延長した紐状又は帯状の引張具３３ｂとからなり、雌ねじ３３ａを、第２仕切部２ｃに当接させない後退位置（図１０（Ｂ）参照）から、引張り操作される引張具３３で回転して第２仕切部２ｃに当接する脚体降下阻止位置（図１０（Ｃ）参照）まで移動できるようにしてある。引張具３３ｂは、雌ねじ３３ａの外周面に設けた螺旋状凹溝３３ａ−１に抜け出し可能に埋め込む等して、引張り操作されるまでは雌ねじ３３ａから自然に分離しないようにしてある。
【００５８】
前記押圧具３６は、脚体頭部４ｂの下面と第２仕切部２ｃとの間に設けた圧縮コイルバネからなり、圧縮コイルバネの反発弾性力で脚体頭部４ｂを第２仕切部２ｃへ向かって押圧するようにしてある。床用固定具３２は、設置前（図１０（Ａ）に示す状態）では押圧具３６で押圧されて脚体頭部４ｂが第２仕切部２ｃに係止し、設置後（図１０（Ｂ）に示す状態）では押圧具３６の圧縮コイルバネを圧縮するようにして施工床Ｆから押し上げられて、脚体頭部４ｂが第２仕切部２ｃから離れるようになっている。なお、圧縮コイルバネの反発弾性力に相当する床用固定具３２の自重がある場合には、押圧具３６を省略することも可能である。
【００５９】
前記固定具固定用接着剤５ｂは、接着剤充填用下方空間２ｈ−２へ充填して床用固定具３２を施工床Ｆに接合するものであって、前記第１の実施の形態と同様に主剤と硬化剤とを混ぜ合わせたエポキシ系接着剤等の熱硬化性接着剤が用いられる。なお、床用固定具３２は、脚体４の固定を確実とするめに、図１０（Ｄ）に示す如く、筒状部２ａの上方空間２ｈ−１に、前記第１の実施の形態と同様な脚体固定用接着剤５ａを充填することもある。
【００６０】
本発明装置３１は、床用固定具３２の第２仕切部２ｃに脚体頭部４ｂを係止させるようにすることで床用固定具３２と脚体４の分離を防止でき、脚体軸部４ａ及び別の着地脚体９（図１参照）を接合した被支持体７が着地脚体９を介して施工床Ｆ上に設置されると、脚体４に対して上下移動可能な床用固定具３２の筒状部２ａの高さ位置が施工床Ｆの不陸に応じて決まり、施工床Ｆに筒状部２ａを接着剤５ｂで接合する。本発明装置３１は、引張具３３ｂの引張り操作で脚体降下阻止具３３の雌ねじ３３ａを回転させて脚体降下阻止位置（図１０（Ｃ）参照）まで移動させることにより、雌ねじ３３ａを第２仕切部２ｃに当接させて脚体４を下方へ移動しないように保持できるため、早い時点から作業者が被支持体７に乗って作業ができる状態にできる。
【符号の説明】
【００６１】
１（１１，２１，３１）…本発明装置、２（１２，２２，３２）…床用固定具、２ａ…筒状部、２ａ−１…上半部、２ａ−２（２ａ−６）…下半部、２ａ−３…中間部、２ａ−４…吊下げ部、２ａ−５…開口部、２ｂ…第１仕切部、２ｃ…第２仕切部、２ｄ…脚体挿通孔、２ｇ…第３仕切部、２ｈ−１…上方空間、２ｈ−２…下方空間、２ｋ…収納空間、２ｍ…接着剤充填用空間、４…脚体、４ａ…軸部、４ｂ…頭部、５…接着剤、５ａ…脚体固定用接着剤、５ａ−１…上下間隙用接着剤、５ａ−２…半径方向間隙用接着剤、５ｂ…固定具固定用接着剤、６…押圧具、６ａ…圧縮コイルバネ、６ｂ…鍔部（ナット）、７…被支持体、７ａ…接合用螺子部、８…ロックナット、９…高さ調節可能な着地脚体、１２…床固定具、１３（３３）…脚体降下阻止具、１４…係合具、１４ａ…一方の係合部、１４ｂ…他方の係合部、１４ｃ…連結部、１４ｄ…枠体、１４ｅ…ピン、１４ｆ…連結片、１４ｇ…圧縮バネ体、１５（１６）…係合切替具、１５ａ…持上げ部、１５ａ−１…凹部、１５ｂ…紐、３３ａ…雌ねじ、３３ａ−１…螺旋状凹溝、３３ｂ…引張具、３６…押圧具
【図１】
2011001702.tif 000003
【図２】
2011001702.tif 000004
【図３】
2011001702.tif 000005
【図４】
2011001702.tif 000006
【図５】
2011001702.tif 000007
【図６】
2011001702.tif 000008
【図７】
2011001702.tif 000009
【図８】
2011001702.tif 000010
【図９】
2011001702.tif 000011
【図１０】
2011001702.tif 000012
【図１１】
2011001702.tif 000013